(57)【要約】【課題】可動コアのＹ軸方向の移動量を増やすこと。【解決手段】ドア枠に嵌合状態に固定されるトロヨケと、このトロヨケに空隙部を設定して、かつ、この空隙部に位置すると共に可動コアの上下の動きに対応して変位する保持板を介して遊嵌合状態に嵌め込まれる前記可動コアを備えたドア用錠受け金具に於いて、前記保持板は、固着具を介してトロヨケ又は可動コアに固定される端板状基端部と、この基端部から弾性折り曲げ部を介して連設する舌片状突片部とから成り、前記舌片状突片部に前記固着具の頭部を受け入れる逃がし用切欠を形成したこと。【選択図】図４
2008208664.tif 000002
【特許請求の範囲】
【請求項１】
ドア枠に嵌合状態に固定されるトロヨケと、このトロヨケの奥の内壁面並びに上下の対向内壁との間にそれぞれ空隙部を設定して遊嵌合状態に嵌め込まれる可動コアと、トロヨケ及び可動コアの正面側をカバーするように可動コアに取り付けられるカバープレートと、基端部側が可動コアの上下の外壁面或いはトロヨケの上下の内壁面に固着具を介してそれぞれ固着され、一方、先端部側は、トロヨケの上下の内壁面或いは可動コアの上下の外壁面にそれぞれ当接するように前記上下の空隙部に配設された保持板とを備え、地震発生時、前記保持板の先端部側は、前記可動コアの上下の動きに対応して変位するドア用錠受け金具に於いて、前記保持板は、端板状基端部と、この基端部から弾性折り曲げ部を介して連設する舌片状突片部とから成り、前記突片部に前記固着具の頭部を受け入れる逃がし用切欠を形成したことを特徴とするドア用錠受け金具。
【請求項２】
請求項１に於いて、弾性折り曲げ部は、基端部の上面に接近する方向に折り曲げられた第１折り曲げ箇所と、この第１折り曲げ箇所に連続すると共に基端部の上面から離れる方向に折り曲げられた第２折り曲げ箇所を有し、弾性折り曲げ部が最大に変位した場合には、突片部の内面が基端部の上面に重なることを特徴とするドア用錠受け金具。
【請求項３】
請求項１に於いて、基端部と弾性折り曲げ部の接続部分に相当する外面の一つのポイント「中心点０」を基準にすると、舌片状突片部の方が、端板状の基端部よりも長いことを特徴とするドア用錠受け金具。
【請求項４】
請求項３に於いて、突片部の先端部は、弾性折り曲げ部が最大に変位した時、舌片状突片部の接続部分とは反対側の非接続端面から食み出る折り曲げ状の当接先端部分を有し、通常の使用時には、この当接先端部分がトロヨケの上下の内壁面或いは可動コアの上下の外壁面に当接することを特徴とするドア用錠受け金具。
【請求項５】
ドア枠に嵌合状態に固定されるトロヨケと、このトロヨケに空隙部を設定して、かつ、この空隙部に位置すると共に可動コアの上下の動きに対応して変位する保持板を介して遊嵌合状態に嵌め込まれる前記可動コアを備えたドア用錠受け金具に於いて、前記保持板は、固着具を介してトロヨケ又は可動コアに固定される端板状基端部と、この基端部から弾性折り曲げ部を介して連設する舌片状突片部とから成り、前記舌片状突片部に前記固着具の頭部を受け入れる逃がし用切欠を形成したことを特徴とするドア用錠受け金具。
【発明の詳細な説明】
【技術分野】
【０００１】
本発明は、地震時に適合するドア用錠受け金具に関する。
【背景技術】
【０００２】
特許文献１は、出願人が提案したものである。該特許文献１には、「左右の側壁に切欠部を有しかつドア枠に嵌合状態に固定されるトロヨケと、切欠部にそれぞれ係合する保持（係合）ピンを有すると共に、少なくともトロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるカバープレートとを備え、地震発生時、前記可動コアがカバープレートの傾斜状上下端部の変形に伴いトロヨケ内の後方空隙部ないし上下の空隙部へと多方向へ後退動するドア用錠受け金具」が記載されている。
【０００３】
また、特許文献２も、特許文献１と同様に、出願人が提案したものである。この特許文献２には、本発明の前提要件となる公知技術が記載されている。すなわち、「ドア枠に嵌合状態に固定されるトロヨケと、このトロヨケの奥の内壁面並びに上下の対向内壁との間にそれぞれ空隙部を設定して遊嵌合状態に嵌め込まれる可動コアと、トロヨケ及び可動コアの正面側をカバーするように可動コアに取り付けられるカバープレートと、基端部側が可動コアの上下の外壁面或いはトロヨケの上下の内壁面に固着具を介してそれぞれ固着され、一方、先端部側は、トロヨケの上下の内壁面或いは可動コアの上下の外壁面にそれぞれ当接するように前記上下の空隙部に配設された保持板とを備え、地震発生時、前記保持板の先端部側は、前記可動コアの上下の動きに対応して変位するドア用錠受け金具」が記載されている。
【０００４】
しかしながら、特許文献２には、可動コアの上下方向の移動量を十分に稼ぐことができないという問題点があった、その理由（原因）は、保持板の形状（構成）からくるものと、保持板と固着具との組み合わせからくるものがあった。
【０００５】
すなわち、保持板の形状に関しては、固着具によって固定された保持板の全体形状は、釣り針形状であることから、上下の空隙部を十分に設定することができないという欠点があった。
【０００６】
付言すると、端板状の基端部からフック状に折り曲げ形成さたれ弾性の先端部側は鉤状であり、例えば可動コアの上の外壁面とトロヨケの上の内壁面との間の距離をあまり長く設けることができなかった。
【０００７】
また、保持板と固着具との組み合わせ関して、固着具の頭部は、端板状の基端部の上面に突出していることから、可動コアの移動方向及び保持板の潰れ方によっては、保持板の鉤状先端部が固着具の頭部に覆い被さる場合があるので、保持板の肉厚の分だけ、可動コアの上下の移動量が減じられる。特に、固着具の頭部が膨出状（平らでない場合）は、さらに、可動コアの上下の移動量が減じられる。
【特許文献１】特開２００４−３６２７０号公報
【特許文献２】特開２００６−１６１４１５号公報
【発明の開示】
【発明が解決しようとする課題】
【０００８】
本発明の所期の目的は、特許文献２の問題点を解消する（可動コアのＹ軸方向の移動量を増やす）ことである。第２の目的は、トロヨケの凹所に対して可動コアを遊嵌合状態に支持する保持板が、簡単に可動コア或はトロヨケが外れないことである。第３の目的は、保持片が可動コアの重量に耐えて通常の状態では形状が変形しない剛性的機能を有する場合には、バランス良く可動コアを保持することができることである。
【課題を解決するための手段】
【０００９】
本発明のドア用錠受け金具は、ドア枠に嵌合状態に固定されるトロヨケと、このトロヨケに空隙部を設定して、かつ、この空隙部に位置すると共に可動コアの上下の動きに対応して変位する保持板を介して遊嵌合状態に嵌め込まれる前記可動コアを備えたドア用錠受け金具に於いて、前記保持板は、固着具を介してトロヨケ又は可動コアに固定される端板状基端部と、この基端部から弾性折り曲げ部を介して連設する舌片状突片部とから成り、前記舌片状突片部に前記固着具の頭部を受け入れる逃がし用切欠を形成したことを特徴とする。
【００１０】
また、本発明のドア用錠受け金具は、ドア枠に嵌合状態に固定されるトロヨケと、このトロヨケの奥の内壁面並びに上下の対向内壁との間にそれぞれ空隙部を設定して遊嵌合状態に嵌め込まれる可動コアと、トロヨケ及び可動コアの正面側をカバーするように可動コアに取り付けられるカバープレートと、基端部側が可動コアの上下の外壁面或いはトロヨケの上下の内壁面に固着具を介してそれぞれ固着され、一方、先端部側は、トロヨケの上下の内壁面或いは可動コアの上下の外壁面にそれぞれ当接するように前記上下の空隙部に配設された保持板とを備え、地震発生時、前記保持板の先端部側は、前記可動コアの上下の動きに対応して変位するドア用錠受け金具に於いて、前記保持板は、端板状基端部と、この基端部から弾性折り曲げ部を介して連設する舌片状突片部とから成り、前記突片部に前記固着具の頭部を受け入れる逃がし用切欠を形成したことを特徴とする。
【００１１】
ここで弾性折り曲げ部の「弾性」とは、弾性変位してそのまま潰れた形状になる弾性変位機能と、常に元の状態に復帰しようとする弾性変位復帰機能のいずれの実施例の場合も含まれる。
【発明の効果】
【００１２】
（１）地震発生時、可動コアは、特許文献２に記載の実施例と同様に上下方向に移動するが、本実施例の可動コア用保持板は、端板状基端部と、この基端部から弾性折り曲げ部を介して連設する舌片状突片部とから成り、前記突片部に固着具の頭部を受け入れる逃がし用切欠を形成してあるので、頭部の肉厚に相当する距離だけ、可動コアのＹ軸方向の移動量を増やすことができる。
（２）また、保持板の弾性折り曲げ部は、基端部の上面に接近する方向に折り曲げられ第１折り曲げ箇所と、この第１折り曲げ箇所に連続すると共に基端部の上面から離れる方向に折り曲げられた第２折り曲げ箇所を有し、弾性折り曲げ部が最大に変位した場合には、突片部の内壁面が基端部の上面に重なるので、確実に前記（１）の効果を達成することができる。
（３）さらに、保持板は、その基端部と弾性折り曲げ部の接続部分に相当する外面の一つのポイント「中心点０」を基準にすると、舌片状突片部の方が、端板状の基端部よりも長いので、特許文献２に記載の実施例と比較して、可動コアの上の外壁面とトロヨケの上の内壁面との間の距離をよく長く設けることができる。
（４）加えて、保持板の突片部の先端部は、弾性折り曲げ部が最大に変位した時、舌片状突片部の接続部分とは反対側の非接続端面から食み出る折り曲げ状の当接先端部分を有し、通常の使用時には、この当接先端部分がトロヨケの上下の内壁面或いは可動コアの上下の外壁面に当接するので、前記（３）の効果を十分に発揮させることができると共に、保持板は、上下方向に強い外力を受けた場合には、容易に潰れ易くなる。
（５）固着具の頭部の肉厚と舌片状突片部の肉厚は、略同じである場合には、固着具の頭部に起因して可動コアの上下の移動量が減じられることはない。
【発明を実施するための最良の形態】
【００１３】
以下、図１ないし図８を参照にして一実施例を説明する。
【００１４】
（１）実施の環境
まず、図１及び図２に於いて、本発明の実施の環境部材を説明する。１はドア枠、２はドア枠に嵌合状態に固定されるトロヨケ、３はトロヨケ内に、少なくともトロヨケの奥の内壁面並びに上下の対向内壁との間にそれぞれ空隙部を設定して遊嵌合状態に嵌め込まれる枠状可動コア、４はトロヨケ２及び可動コア３の正面側を全体又は部分的にカバーするように可動コア３を介して間接的に又は直接前記ドア枠１の正面壁に当接状態に取り付けられるカバープレート、５はドア枠１に対して開閉可能に設けられるドア、６はドア側に設けた錠前の第１の施錠片（ここではデッドボルト）、７はデッドボルト６と並存的に設けられた錠前の第２の施錠片（ここでは鎌片）である。なお、前記鎌片７は、防犯機能を高めるために設けられており、施錠時、図１で示すようにデッドボルト６と水平方向に重なった状態で可動コア３の正面壁３ａの内壁面に対してその先端部が掛合可能な状態となっている。
【００１５】
図１はドア枠１に凹所を有するトロヨケ２、枠状の可動コア３、カバープレート４、それに、本発明の新規事項である上下一対の保持板８，８をそれぞれ適宜に組み合わせて固定的に取り付けた場合における通常の使用状態を示す。
【００１６】
（２）ドア枠１
図２を参照にして錠受け具の構成部材を順番に説明する。まず簡略化したドア枠１から説明する。角筒部１０はドア５の垂直端面と対向する一部のみを示してある。１０ａは正面壁、１０ｂは背面壁、１０ｃ，１０ｃは左右の側壁、１１は前記正面壁１０ａに形成された縦長状の受入れ口、１２は受入れ口に連通するように左側の上下の部位にそれぞれ垂直線状に切欠されたカバープレート用切欠溝、１３はこれらの切欠溝１２，１２付近の正面壁１０ａに形成された上下のネジ孔である。
【００１７】
（３）トロヨケ２
次にトロヨケ２について説明する。トロヨケ２の形状は普通一般のそれと同様である。すなわち、トロヨケ２の部分を区分けすると、ドア枠１の受入れ口１１にスッポリトと入り込む正面開口の角形ケース部１５と、この角形ケース部１５の開口１６側の上下端部にそれぞれ一体形成された突片状の取付け片１７，１７とから成り、前記取付け片１７，１７には、ドア枠１のネジ孔１３，１３と符合する貫通孔１８，１８が形成されている。
【００１８】
しかして、本実施例では、前記角形ケース部１５の左右の側壁１５ｃ，１５ｃの上下の部位には、左右一対の保持ピン逃し用切欠部２０，２０がそれぞれ計４個形成されている。これらの切欠部２０は、図１で示すように、それぞれ上下一対の可動コア用保持ピン（係合ピン）２１，２１と関係する。
【００１９】
すなわち、各保持ピン２１は左右一対の逃し用切欠部２０，２０をそれぞれ貫通する。切欠部２０は、通常の使用状態では、一つの保持ピン２１の外周面と一部係合するやや半円弧状の小係合溝２０ａと、基準縁部としての小係合溝２０ａを基準にして角形ケース部１５の背面壁１５ｂ方向に拡大して幅広（例えば矩形状、垂直長孔状など）に広がる保持ピン逃し部２０ｂとを有している。
【００２０】
また、前記左右の側壁１５ｃ，１５ｃの上下部位寄りの部位には、小さな被係合部（例えば係合小孔、内壁面に形成された小さな溝など）２２，２２が形成されている。
【００２１】
（４）可動コア３
次に可動コア３について説明する。可動コア３は、図３で示すように、複数個の開口を有する箱型形状に形成されている。すなわち、３ａ，３ａは上下の正面壁で、本実施例では、施錠時、鎌片７の先端部はいずれか一方の正面壁３ａの内壁面に対して掛合状態となっている。３ｃ，３ｃは左右の側壁、２５は前記正面壁３ａ，３ａの間に形成された縦長の前方開口、２６は正面壁３ａ，３ａにそれぞれ形成された上下の凹所（正面壁の一部）、２７はこれらの凹所２６，２６にそれぞれ形成された上下のネジ孔、２８は前記左右の側壁３ｃ，３ｃの上下にそれぞれ形成された保持ピン用挿通孔、３０は左右の側壁３ｃ，３ｃの上下部位寄りの部位にそれぞれ形成され、かつ、前述したトロヨケ２の小さな被係合部２２，２２にそれぞれ係脱する小さな係合部（例えば小突起）、３１は上下の後方開口、３２は後方開口３１を上下に分断するように左右の側壁３ｃ，３ｃの中央部に固定的に横設した断面コ字型の施錠片用受け片である。
【００２２】
ところで、図１で示すように、可動コア３は、係合部３０や上下の保持ピン２１，２１を介してトロヨケ２に遊嵌合状態に保持される。可動コア３がトロヨケ２に遊嵌合した時、可動コア３の小突起状の係合部３０，３０は、トロヨケ２の小さな被係合部２２，２２にそれぞれ係合する。したがって、トロヨケ２と可動コア３は、仮ではあるが一体的になる。
【００２３】
また、可動コア３に入り込んだ施錠片６の下面と前記受け片３２の水平上板部３２ａとの間には、多少のクリアランス（たとえば７ｍｍ程度）が設定されているが、地震発生時、受け片３２はドア枠の変形によってデッドボルト６の下面と水平上板部３２ａとが互いに衝突し合った場合その衝撃力を受ける。また本実施例では鎌片７も設けられているので、施錠片６と同時に鎌片７が後退しながら上昇した場合には、可動コア３の前方開口２５の上縁部が、両方の施錠片６，７からその衝撃力（外力）を受ける。
【００２４】
したがって、可動コア３は、両方の施錠片６，７がトロヨケ２側に移動してきた時、後述するように施錠片用受け片３２の水平上板部３２ａ等を介して後退・上下動可能な状態となる。
【００２５】
（５）カバープレート４
次にカバープレート（ストライク）４について説明する。３５はカバー部本体、３６はカバー部本体に上方と下方にそれぞれ連設する変形可能な傾斜状上下端部、３７はカバー部本体の右側端部から該カバー部本体に直交するように設けられた進入係合側壁、３８は可動コア３の前方開口２５と同一形状の正面開口、３９はカバー部本体の上下部に形成され、かつ、可動コア３のネジ孔２７，２７と符合するカバープレート固着具４０用の挿通孔である。
【００２６】
なお、カバープレート４は、前記進入係合側壁３７に対向する他方側の側壁を有しない。またドア枠１の切欠溝１２に係合する進入係合側壁３７の上下の突片状端部３７ａ，３７ａと傾斜状上下端部３６，３６とは互いに切れている。
【００２７】
したがって、トロヨケ固着具４１，４１をカバーするカバープレート４の傾斜状上下端部３６，３６は、例えばカバープレート４を戸枠側に押し付ける略水平方向Ｘ、又はカバープレート４をドア５の端面側に押し付ける逆方向Ｘの衝撃力が作用すると変形可能である。
【００２８】
（６）保持板８
図１で示すように、保持板８は、トロヨケ２の上下の内壁面２ｂ、２ｂと可動コア３の上下壁３ｂ，３ｂとの間に設定された上下の空隙部４６，４６内にそれぞれ位置するように線対象状態に配設されている。ここでの線対象は、可動コア３の中心を通る横線を対象中心線とした場合に於ける上下の線対象を意味する。本実施例の保持板８は、上下一対で「一組」を構成している。この点は、特許文献２に記載の実施例と同一である。
【００２９】
しかしながら、本実施例の保持板８は、端板状基端部８ａと、この基端部から弾性折り曲げ部８ｂを介して連設する舌片状突片部８ｃとから成り、前記突片部８ｃに固着具９の平らな頭部９ａを受け入れる逃がし用切欠５１が形成されている。
【００３０】
そして、図４及び図５で示すように、保持板８の弾性折り曲げ部８ｂは、基端部８ａの上面５２に接近する方向に折り曲げられた第１折り曲げ箇所Ａと、この第１折り曲げ箇所Ａに連続すると共に基端部８ａの上面５２から離れる方向に折り曲げられた第２折り曲げ箇所Ｂを有し、外力によって、これらの弾性折り曲げ部Ａ、Ｂが最大に変位した場合には、突片部８ｃの内面５３が基端部８ａの上面５２に重なる。
【００３１】
また、図５の（ｂ）を参照にして、基端部８ａと弾性折り曲げ部８ｂの接続部分に相当する外面の一つのポイント「中心点０」を基準にして、端板状基端部８ａの長さＬ１と、弾性折り曲げ部８ｂを含む舌片状突片部８ｃの長さＬ２とを比較すると、舌片状突片部８ｃの方が、端板状の基端部８ａよりも長い。
【００３２】
この点について、付言すると、突片部８ｃの先端部は、弾性折り曲げ部８ｂが最大に変位した時、舌片状突片部の接続部分とは反対側の非接続端面５４から食み出る折り曲げ状の当接先端部分５５を有し、通常の使用時には、この当接先端部分５５がトロヨケの上下の内壁面（本実施例）或いは可動コアの上下の外壁面に当接する。
【００３３】
さらに、前記端板状基端部８ａの中央部に形成した固着具９用の貫通孔５６から突出する固着具の頭部９ａの肉厚と舌片状突片部８ｃの肉厚は、略同じである。
【００３４】
（７）弾性変形機能
図７は、地震が発生した場合に於いて、可動コア３に対して矢印（Ｘ軸とＹ軸）方向の外力がかかった場合の説明図である。また、図８は保持板８の弾性折り曲げ部８ｂが、弾性変形可能である（弾性変形機能がある）旨を示す。
【００３５】
上下一組の保持板８，８の弾性折り曲げ部８ｂは、図７で示すようにトロヨケ２の上下の内壁面２ｂに沿ってスライド可能である。また、図８で示すように、弾性折り曲げ部が最大に変位した場合には、突片部８ｃの内面５３が基端部８ａの上面に重なる。つまり、舌片状突片部８ｃがペチャンコの時には、該舌片状突片部８ｃの下面が端板状基端部８ａの上面５２に面状に接触する。
【００３６】
ところで、本実施例の弾性折り曲げ部８ｂは、地震発生後、外的な衝撃力がなくなった瞬間、材質自体の弾性復帰力により、直ちに元の保持状態を確保するための働き（弾性復帰変形機能）もある。
【００３７】
なお、ここで図７に関して付言する。地震発生時、例えば施錠片６がドア枠１の変形によって施錠片６が傾倒し、或いは下降し、その下面と受け片３２の水平上板部３２ａとが互いに衝突し合った場合には、可動コア３がその受け片３２を介して施錠片６から強い衝撃力を受ける。
【００３８】
したがって、今仮に、図１の使用状態に於いて、カバープレート４のカバー部本体３５の壁面に対して交差する方向Ｘの面外外力（外部の衝撃力）が発生すると同時に、カバー部本体３５の壁面に対して平行する方向Ｙの外力（外部の衝撃力）が同時に発生した場合には、ドア枠１とドア５との間でカバープレート４が水平〜垂直方向へと衝撃的に押圧されることになるから、その上下端部３６，３６は外拡変位してドア枠１の正面壁１０ａをトロヨケ方向Ｘ並びに上下方向Ｙへとスライドする。この時可動コア３の小係合突起３０，３０は変形し、或いは破壊してトロヨケ２の小孔２２から外れる。
【００３９】
しかし、保持ピン２１を介してトロヨケ４と可動コア３は一体であるから、トロヨケ４と可動コア３は、トロヨケ４内の後方空隙部４５及び上下の空隙部４６へと多方向へ後退上下動する。したがって、可動コア用保持ピン２１，２１は、可動コア３の後退上下動に対応してトロヨケ２の切欠部２０の小係合溝２０ａから幅広の保持ピン逃し部２０ｂへと移行する。保持板８の作用（弾性変形機能及び弾性復帰変形機能）については前述したとおりである。
【００４０】
（８）各部材の組み合わせ
次に各部材の組み合わせについて簡単に説明する。まずトロヨケ２と可動コア３とを一体的に組み合わせる。この時トロヨケ２の被係合部２２，２２に可動コア３の係合部３０，３０を係合させ、また上下の保持ピン２１，２１をトロヨケ２の上下の切欠部２０，２０と可動コア３の上下の挿通孔２８，２８にそれぞれ差し込む。
【００４１】
次にトロヨケ２のケース部１５をドア枠１の受入れ口１１に嵌め込み、上下の取付け片１７，１７をドア枠１の正面壁１０ａに面接触させる。そして、トロヨケ固着具４１，４１を可動コアの貫通孔１８，１８に合わせてドア枠のネジ孔１３，１３に螺締する。これによりトロヨケ２はドア枠１に固着される。
【００４２】
次にカバープレート４をトロヨケ２の上下の取付け片１７，１７を覆うようにする。しかる後にカバープレート固着具４０，４０を挿通孔３９，３９に合わせて可動コア３のネジ孔２７，２７に螺締する。螺締すると、上下の保持ピン２１，２１はトロヨケの小係合溝２０ａに確実に係合するから、図１に示すように、各部材２，３，４は一体的になる。なお、施錠片６の上面とカバープレート４の正面開口３８の上縁部との間には多少のリアランスがある。
【実施例】
【００４３】
本実施例では、各保持板８，８の基端部８ａ，８ａは、可動コア３の上下壁３ｂ，３ｂに固定具９，９を介してそれぞれ固定され、かつ、舌片状突片部８ｃに延設形成された当接先端部分５５がトロヨケ２の上下の内壁面２ｂ，２ｂにそれぞれ当接する。しかし、これに限定するものではなく、基端部８ａ，８ａをトロヨケ２の上下の内壁面２ｂ，２ｂに固定具９，９を介してそれぞれ固定し、本実施例とは逆の態様で用いても良い。
【００４４】
次に、保持板８は、少なくとも弾性変形機能を有していれば十分であるが、本実施例の保持板８は、可動コアの重量に耐えて通常の状態では形状が変形しない剛性的機能を有し、図１で示すように上下の空隙部４６，４６に上下バランス良く可動コアを保持すると共に、弾発性を有する材料で形成され、地震発生後、外的な衝撃力がなくなった瞬間、材質自体の弾性復帰力により、直ちに元の保持状態を確保する弾性復帰変形機能を有する。
【００４５】
次に、トロヨケ２の左右の側壁１５ｃ，１５ｃの上下の部位には、左右一対の野球のベース板形状切欠部２０，２０がそれぞれ計４個形成されているが、ドア側の錠前の構造如何によっては、その形状を適宜に変更し、また数を増減しても良い。
【００４６】
さらに、可動コアの左右の側壁３ｃ，３ｃの中央部には、地震発生時、錠前の施錠片の下面と当接可能な施錠片用受け片が固定的に一つ横設されているが、施錠片の上面と当接可能な状態にもう一つ受け片を横設しても良い。また、施錠片用受け片の形状等は任意に設計変更可能である。また、例えば可動コアの左右の側壁に被係合部２２を形成し、一方、トロヨケの左右の側壁に前記被係合部２２に仮止め係合する係合部３０を設けることも均等事項である。
【００４７】
加えて、特許文献２に記載の第２実施例のように、保持ピン用切欠部と挿通孔の形成対象を設計変更しても良い。すなわち、特に図示しないが、トロヨケの左右の側壁の方に保持ピン用の挿通孔を上下にそれぞれ形成し、一方、可動コアの左右の側壁保持ピン逃がし用切欠部を上下にそれぞれ形成しても良い。
【図面の簡単な説明】
【００４８】
図１乃至図８は本発明の一実施例を示す各説明図。
【図１】実施形態を示す概略説明図（通常の使用状態）。
【図２】分解斜視図。
【図３】可動コアと保持板との関係及び可動コアとカバープレートとの関係を示す分解斜視図。
【図４】主要部の斜視からの説明図。
【図５】図５の（ａ）と（ｂ）は、主要部の概略断面と作用の説明図。
【図６】地震発生時の可動コアの状態を示す概略断面説明図（平面視）。
【図７】地震発生時の可動コアの状態を示す概略断面説明図（側壁視）。
【図８】保持板の機能を示す概略説明図。
【符号の説明】
【００４９】
Ｘ…水平方向、Ｙ…上下方向、１…ドア枠、２…トロヨケ、２ｂ…トロヨケの上下内壁面、３…可動コア、３ａ…正面壁、３ｂ…可動コアの上下壁、３ｃ…左右の側壁、４…カバープレート、５…ドア、６，７…施錠片、８…保持板、８ａ…基端部、８ｂ…弾性折り曲げ部、８ｃ…舌片状突片部、９…固着具、１０…角筒部、１０ａ…正面壁、１０ｂ…背面壁、１０ｃ…左右の側壁、１１…受入れ口、１２…カバープレート用切欠溝、１３…ネジ孔、１５…角形ケース部、１５ｃ…左右の側壁、１６…開口、１７…取付け片、１８…貫通孔、２０，…切欠部、２０ａ…小係合溝、２０ｂ…保持ピン逃し部、２１…保持ピン、２２…被係合部、２５…前方開口、２６…凹所、２７…ネジ孔、２８…挿通孔、３０…係合部、３１…後方開口、３２…施錠片用受け片、３２ａ…水平上板部、３５…カバー部本体、３６…傾斜状上下端部、３７…進入係合側壁、３８…正面開口、３９…挿通孔、４０…カバープレート固着具、４１…トロヨケ固着具、４５…後方空隙部、４６…上下の空隙部、Ａ…第１折り曲げ箇所、Ｂ…第２折り曲げ箇所、０…接続部分に相当する外面の一つのポイント、Ｌ１…端板状基端部８ａの長さ、Ｌ２…舌片状突片部の長さ、５１…逃がし用切欠、５２…基端部の上面、５３…舌片状突片部の内面、５４…非接続端面、５５…当接先端部分、５６…貫通孔。
【図１】
2008208664.tif 000003
【図２】
2008208664.tif 000004
【図３】
2008208664.tif 000005
【図４】
2008208664.tif 000006
【図５】
2008208664.tif 000007
【図６】
2008208664.tif 000008
【図７】
2008208664.tif 000009
【図８】
2008208664.tif 000010